(57)【特許請求の範囲】
【請求項１】
基地局が隣接基地局にセル形状パターンを示す方法であって、
第２セルを非活性化し、
前記第２セルのカバレッジ内で複数の第１セルを活性化し、
前記非活性化された第２セルの識別子と前記非活性化された第２セルのカバレッジ形状に関するインデックスとの両方を前記隣接基地局に送信し、
前記活性化された複数の第１セルの識別子と前記活性化された複数の第１セルのカバレッジ形状に関するインデックスとの両方を前記隣接基地局に送信する、ことを有し、
前記非活性化された第２セルのカバレッジ形状に関するインデックスは、前記第２セルの非活性化を表し、
前記活性化された複数の第１セルのカバレッジ形状に関するインデックスのそれぞれは、前記第１セルの活性化と前記活性化された複数の第１セルのそれぞれのカバレッジ形状との両方を表す、方法。
【請求項２】
前記活性化された複数の第１セルのカバレッジ形状に関するインデックスのそれぞれは、ゼロ以外の値と等しく、
前記非活性化された第２セルのカバレッジ形状に関するインデックスは、ゼロと等しい、請求項１に記載の方法。
【請求項３】
隣接基地局にセル形状パターンを示す基地局であって、
メモリと、
送受信器と、
前記メモリおよび前記送受信器を接続するプロセッサと、を有し、
前記プロセッサは、
第２セルを非活性化し、
前記第２セルのカバレッジ内で複数の第１セルを活性化し、
前記送受信器が前記非活性化された第２セルの識別子と前記非活性化された第２セルのカバレッジ形状に関するインデックスとの両方を前記隣接基地局に送信するよう制御し、
前記送受信器が前記活性化された複数の第１セルの識別子と前記活性化された複数の第１セルのカバレッジ形状に関するインデックスとの両方を前記隣接基地局に送信するよう制御するように構成され、
前記非活性化された第２セルのカバレッジ形状に関するインデックスは、前記第２セルの非活性化を表し、
前記活性化された複数の第１セルのカバレッジ形状に関するインデックスのそれぞれは、前記第１セルの活性化と前記活性化された複数の第１セルのそれぞれのカバレッジ形状との両方を表す、基地局。
【請求項４】
前記活性化された複数の第１セルのカバレッジ形状に関するインデックスのそれぞれは、ゼロ以外の値と等しく、
前記非活性化された第２セルのカバレッジ形状に関するインデックスは、ゼロと等しい、請求項３に記載の基地局。
【発明の詳細な説明】
【技術分野】
【０００１】
本発明は、隣接基地局にセル分割パターン（Cell Splitting Pattern）を示す（指示する）（indicating）方法および装置に関し、より詳しくは、ＡＡＳ（Active Antenna System）技術のうちの一つである基地局のセル分割（Cell Splitting）に対応して、隣接基地局がＭＲＯ（Mobility Robustness Optimization）パラメータを変更して適用できるようにするために、基地局が隣接基地局にセル分割パターンを示す方法および装置に関する。
【背景技術】
【０００２】
最近、無線通信システムの発展およびスマート機器の普及によって無線データの需要は持続的に増加しており、このような傾向は今後も持続されることが予想されている。このような無線通信システムにおいて、最も重要な関心事のうちの一つが効率的な周波数の利用である。
【０００３】
ビーム形成（フォーミング）（beamforming）とは、アンテナで放射されたエネルギが空間で特定の方向に集中するアンテナ技術である。ビーム形成の目的は、所望の方向から強度がより強い信号を受信したり、または所望の方向にさらに集中したエネルギを有する信号を伝達したりすることである。特に、ビーム形成システムは、無線通信システムの高速化および大容量化のために、高い利得の多様な形態のビームを具現することが要求される。例えば、ビーム形成システムは、多数のユーザに対する大容量データの高速送受信通信、衛星、航空など、スマートアンテナを使用する各種衛星航空通信などの高いパスロス（path loss）帯域での通信などに使われることができる。したがって、ビーム形成通信は、次世代移動通信および各種レーダ、軍事および航空宇宙通信、室内および建物間高速データ通信、ＷＬＡＮ（Wireless Local Area Network）、ＷＰＡＮ（Wireless Personal Area Network）などの多様な分野で研究されている。
【０００４】
さらに、最近、アクティブ（能動）アンテナシステム（技術）（ＡＡＳ：Active Antenna System）の発展により比較的自由なビーム形成が可能になって、垂直セクタ化（Vertical Sectorization）を適用しようとする試みが行われている。ＡＡＳは、既存の固定型アンテナシステム（stationary antenna system）と違って、アクチュエータの設置を介してアンテナの位置および方向を遠隔で制御できるシステムであって、セルの特性やユーザサービスの要求によって動的にアンテナ設定を変更することができるシステムである。この技術は、より効率的な周波数の使用が可能であるため、既存技術と比較して約５０％ほど周波数効率を増大することができる。したがって、主要なシナリオとして、多くのＵＥが密集し、トラフィックの要求が高く、一時的にまたは持続的に特定地域に集中している場合、ＡＡＳ機能を効果的に利用することができる。
【０００５】
ＳＯＮ技術は、効率的で信頼性のあるネットワーク管理（運用）（management）のために、基地局の設置および管理に自動化機能を含むものであって、Ｓｅｌｆ−Ｃｏｎｆｉｇｕｒａｔｉｏｎ、Ｓｅｌｆ−ＯｐｔｉｍｉｚａｔｉｏｎおよびＳｅｌｆ−Ｈｅａｌｉｎｇなどの機能を含む。
【発明の概要】
【発明が解決しようとする課題】
【０００６】
本発明は、隣接基地局にセル分割パターンを示す方法および装置を提案する。基地局は、隣接基地局に自分のセル分割パターンを示すメッセージを送信することができ、隣接基地局は、受信したセル分割パターンに基づいてＭＲＯ（Mobility Robustness Optimization）パラメータセット（集合）（set）を変更して適用できる。セル分割パターンを示すメッセージは、基地局と隣接基地局との間でＸ２接続（連結）（connection）を介して送信されることができ、セル分割パターンは、現在セル分割パターンを示すインデックス情報（Index Information）または分割されたセルの形状を示すカバレッジ情報（Coverage Information）である。
【課題を解決するための手段】
【０００７】
一実施例において、基地局が隣接基地局にセル分割パターン（Cell Splitting Pattern）を示す方法が提供される。
【０００８】
方法は、セル分割（Cell Splitting）を実行し、セル分割により決定された基地局の現在分割されたセルの形状を表す（代表する）（representing）カバレッジ情報（Coverage Information）を隣接基地局に送信することを有する。
【０００９】
基地局と隣接基地局との間にあらかじめ構成された現在セル分割パターンを示すインデックス情報（Index Information）を隣接基地局に送信することをさらに有する。
【００１０】
カバレッジ情報の値は、ゼロ（zero）である場合、基地局のセルの非活性化を示し、カバレッジ情報の値は、ゼロでない場合、基地局のセルの活性化と、カバレッジ情報に対応する現在分割されたセルの形状と、を示す。
【００１１】
隣接基地局は、受信したカバレッジ情報に基づいてモビリティロバストネス最適化（Mobility Robustness Optimization；ＭＲＯ）パラメータセットを適用することをさらに有する。
【００１２】
ＭＲＯパラメータセットは、カバレッジ情報によって変わる。
【００１３】
カバレッジ情報は、Ｃｅｌｌ  Ｓｐｌｉｔｔｉｎｇ  Ｐａｔｔｅｒｎ  Ｉｎｄｉｃａｔｉｏｎ  Ｍｅｓｓａｇｅ、ｅＮＢ  Ｃｏｎｆｉｇｕｒａｔｉｏｎ  Ｕｐｄａｔｅ  Ｍｅｓｓａｇｅまたは他のメッセージを介して隣接基地局に送信され、インデックス情報は、Ｃｅｌｌ  Ｓｐｌｉｔｔｉｎｇ  Ｐａｔｔｅｒｎ  Ｉｎｄｉｃａｔｉｏｎ  Ｍｅｓｓａｇｅ、ｅＮＢ  Ｃｏｎｆｉｇｕｒａｔｉｏｎ  Ｕｐｄａｔｅ  Ｍｅｓｓａｇｅまたは他のメッセージを介して隣接基地局に送信される。
【００１４】
基地局と隣接基地局とは、Ｘ２を介して接続されている。
【００１５】
他の実施例において、隣接基地局にセル分割パターン（cell splitting pattern）を示す基地局が提供される。メモリと、送受信器と、メモリおよび送受信器を接続する（メモリおよび送受信器に接続される）プロセッサ（processor to connect the memory and the transceiver）と、を有し、プロセッサは、セル分割（cell splitting）を実行し、送受信器がセル分割により決定された基地局の現在分割されたセルの形状を表す（代表する）（representing）カバレッジ情報（Coverage Information）を隣接基地局に送信するよう制御するように構成される。
【００１６】
送受信器が基地局と隣接基地局との間にあらかじめ構成された現在セル分割パターンを示すインデックス情報（Index Information）を隣接基地局にさらに送信するよう制御するように構成される。
【００１７】
カバレッジ情報の値は、ゼロ（zero）である場合、基地局のセルの非活性化を示し、カバレッジ情報の値は、ゼロでない場合、基地局のセルの活性化と、カバレッジ情報に対応する現在分割されたセルの形状と、を示す。
【００１８】
カバレッジ情報は、Ｃｅｌｌ  Ｓｐｌｉｔｔｉｎｇ  Ｐａｔｔｅｒｎ  Ｉｎｄｉｃａｔｉｏｎ  Ｍｅｓｓａｇｅ、ｅＮＢ  Ｃｏｎｆｉｇｕｒａｔｉｏｎ  Ｕｐｄａｔｅ  Ｍｅｓｓａｇｅまたは他のメッセージを介して隣接基地局に送信され、インデックス情報は、Ｃｅｌｌ  Ｓｐｌｉｔｔｉｎｇ  Ｐａｔｔｅｒｎ  Ｉｎｄｉｃａｔｉｏｎ  Ｍｅｓｓａｇｅ、ｅＮＢ  Ｃｏｎｆｉｇｕｒａｔｉｏｎ  Ｕｐｄａｔｅ  Ｍｅｓｓａｇｅまたは他のメッセージを介して隣接基地局に送信される。
【発明の効果】
【００１９】
基地局が隣接基地局にセル分割パターンを示し、隣接基地局がセル分割パターンに基づいてＭＲＯパラメータを適用することによって、セル分割によるハンドオーバの失敗を減らすことができる。
【図面の簡単な説明】
【００２０】
【図１】ＬＴＥシステムネットワークの構造を示す図である。
【図２】半波長ダイポール（双極子）（half-wave dipole）アンテナの放射パターンを示す図である。
【図３】人工衛星受信アンテナなどの円形開口（circular aperture）アンテナの放射パターンを示す図である。
【図４】リニア（線形）アレイアンテナ（linear array antenna）の放射パターンを示す図である。
【図５】リニアアレイアンテナの放射パターンを求める処理（過程）（process）を示す図である。
【図６】２次元に配列されたアンテナアレイを示す図である。
【図７】アンテナティルト（ティルティング）（antenna tilting）を示す図である。
【図８】アンテナティルトを示す図である。
【図９】アンテナティルトを示す図である。
【図１０】従来（既存）の（conventional）電気的ティルトを考慮した場合、基地局で生成されるビームのパターンを示す図である。
【図１１】従来の電気的ティルトを考慮した場合、基地局で生成されるビームのパターンを示す図である。
【図１２】アクティブアンテナシステム（Active Antenna System）を示す図である。
【図１３】アクティブアンテナに基づいて端末固有（特定）（UE-specific）ビームを送信する方法を示す図である。
【図１４】２次元アクティブアンテナに基づいて端末固有ビームを送信する方法を示す図である。
【図１５】セルの形状が変更される場合、隣接セルに与える影響を示す図である。
【図１６】ユーザトラフィックによる垂直セル分割を示す図である。
【図１７】効率的なセル分割を説明するためのセル分割の二つのパターンを示す図である。
【図１８】既存の（foregoing）方法が適用される場合、基地局が隣接基地局のセルが分割されるか否かを認知することができない場合の一実施例を示す図である。
【図１９】既存の方法が適用される場合、基地局が隣接基地局の（他の）セル分割形態を認知することができない場合の一実施例を示す図である。
【図２０】本発明の一実施例によって隣接基地局にＸ２インターフェースを利用してセル分割パターンを示す方法を示す図である。
【図２１】本発明の一実施例によって隣接基地局にセル分割パターンを示す方法を示すブロック図である。
【図２２】本発明の実施例が具現される無線通信システムのブロック図である。
【発明を実施するための形態】
【００２１】
以下の技術は、ＣＤＭＡ（Code Division Multiple Access）、ＦＤＭＡ（Frequency Division Multiple Access）、ＴＤＭＡ（Time Division Multiple Access）、ＯＦＤＭＡ（Orthogonal Frequency Division Multiple Access）、ＳＣ−ＦＤＭＡ（Single Carrier Frequency Division Multiple Access）などの多様な無線通信システムに使われることができる。ＣＤＭＡは、ＵＴＲＡ（Universal Terrestrial Radio Access）やＣＤＭＡ２０００などの無線技術（radio technology）で具現されることができる。ＴＤＭＡは、ＧＳＭ（登録商標）（Global System for Mobile communications）／ＧＰＲＳ（General Packet Radio Service）／ＥＤＧＥ（Enhanced Data rates for GSM Evolution）などの無線技術で具現されることができる。ＯＦＤＭＡは、ＩＥＥＥ（Institute of Electrical and Electronics Engineers）８０２．１１（Ｗｉ−Ｆｉ（登録商標））、ＩＥＥＥ８０２．１６（ＷｉＭＡＸ）、ＩＥＥＥ８０２−２０、Ｅ−ＵＴＲＡ（Evolved UTRA）などの無線技術で具現されることができる。ＩＥＥＥ８０２．１６ｍは、ＩＥＥＥ８０２．１６ｅから発展し、ＩＥＥＥ８０２．１６ｅに基づくシステムとの後方互換性（backward compatibility）を提供する。ＵＴＲＡは、ＵＭＴＳ（Universal Mobile Telecommunications System）の一部である。３ＧＰＰ（3rd Generation Partnership Project）ＬＴＥ（Long Term Evolution）は、Ｅ−ＵＴＲＡ（Evolved-UMTS Terrestrial Radio Access）を使用するＥ−ＵＭＴＳ（Evolved UMTS）の一部であり、ダウンリンクでＯＦＤＭＡを採用し、アップリンクでＳＣ−ＦＤＭＡを採用する。ＬＴＥ−Ａ（Advanced）は、３ＧＰＰ  ＬＴＥから発展したものである。
【００２２】
説明を明確にするために、ＬＴＥ−Ａを中心に記述するが、本発明の技術的思想がこれに制限されるものではない。
【００２３】
図１は、ＬＴＥシステムネットワーク構造を示す。通信ネットワークは、ＩＭＳ（IP Multimedia Subsystem）を介したＶｏＩＰ（Voice over IP）およびパケットデータなどの多様な通信サービスを提供するために広範囲に配置される。
【００２４】
図１を参照すると、ＬＴＥシステム構造は、Ｅ−ＵＴＲＡＮ（Evolved UMTS Terrestrial Radio Access Network）、ＥＰＣ（Evolved Packet Core）および一つまたは複数の端末（ＵＥ；User Equipment）１０を含む。ＵＥ１０は、ユーザにより運搬される通信装置を示す。ＵＥ１０は、固定されてもよいし、移動性を有してもよく、ＭＳ（Mobile Station）、ＵＴ（User Terminal）、ＳＳ（Subscriber Station）または無線装置（wireless device）などと呼ばれることもある。
【００２５】
Ｅ−ＵＴＲＡＮは、一つまたは複数のｅＮＢ（evolved NodeB）２０を含むことができ、複数のＵＥ１０は、一つのセル内に位置できる。ｅＮＢ２０は、ＵＥ１０にユーザ平面（user plane）および制御平面（control plane）の終端点（end point）を提供する。ｅＮＢ２０は、一般にＵＥ１０と通信する固定されたステーションであって、基地局（ＢＳ；Base Station）またはアクセス（接続）ポイント（access point）と呼ばれることもある。一つのｅＮＢ２０は、セルごとに配置されることができる。
【００２６】
以下、ダウンリンク（ＤＬ；DownLink）は、ｅＮＢ２０からＵＥ１０への通信を示し、アップリンク（ＵＬ；UpLink）は、ＵＥ１０からｅＮＢ２０への通信を示す。ＤＬにおいて、送信器はｅＮＢ２０の一部であり、受信器はＵＥ１０の一部である。ＵＬにおいて、送信器はＵＥ１０の一部であり、受信器はｅＮＢ２０の一部である。
【００２７】
ＥＰＣは、ＭＭＥ（Mobility Management Entity）およびＳＡＥ（System Architecture Evolution）ゲートウェイ（Ｓ−ＧＷ）を含む。一つまたは複数のＭＭＥ／Ｓ−ＧＷ３０がネットワークの最後に位置して外部ネットワークと接続されることができる。以下、さらに明確にするために、ＭＭＥ／Ｓ−ＧＷ３０は、簡単にゲートウェイと呼ばれることができ、ゲートウェイは、ＭＭＥおよびＳ−ＧＷの両方を含むと理解されることができる。
【００２８】
ＭＭＥは、多様な機能を提供する。ＭＭＥが提供する多様な機能は、ｅＮＢ２０へのＮＡＳ（Non-stratum Access）シグナリング、ＮＡＳシグナリングセキュリティ、ＡＳセキュリティ制御、３ＧＰＰアクセス（接続）ネットワーク（access network）間の移動性のためのＣＮ（Core Network）間ノードシグナリング、アイドルモードＵＥ到達可能性（reachability、ページング再送信（paging retransmission）の制御および実行を含む）、（アイドルモードおよびアクティブ（活性）（active）モードのＵＥのための）トラッキングエリア（領域）（tracking area）リスト管理、ＰＤＮ（Protocol Data Unit）ゲートウェイ（Ｐ−ＧＷ）およびサービングゲートウェイ（Ｓ−ＧＷ）の選択、ＭＭＥが変更されるハンドオーバのためのＭＭＥ選択、２Ｇまたは３Ｇ  ３ＧＰＰアクセスネットワークへのハンドオーバのためのＳＧＳＮ（Serving GPRS Supporting Node）の選択、ローミング（roaming）、認証（authentication）、専用ベアラ（dedicated bearer）設定を含むベアラ管理機能、ＥＴＷＳ（Earthquake And Tsunami Warning System）およびＣＭＡＳ（Commercial Mobile Alert System）を含むＰＷＳ（Public Warning System）メッセージ送信のサポート（支援）（support）などを含む。Ｓ−ＧＷホストは、ユーザ別パケットフィルタリング（例えば、ディープ・パケット・インスペクション（詳細パケット調査）（deep packet inspection））、合法的通信傍受（盗聴）（lawful interception）、ＵＥ  ＩＰ（Internet Protocol）アドレス割当、ＤＬにおけるトランスポートレベルパケットマーキング（transport level packet marking）、ＵＬおよびＤＬサービスレベル課金（service level charging）、ゲーティングおよびレート（等級）強制（gating and rate enforcement）、ＡＰＮ（Access Point Name）−ＡＭＢＲ（Aggregated Maximum Bit Rate）に基づくＤＬレート（等級）強制などの多様な機能を提供する。
【００２９】
ユーザトラフィックまたは制御トラフィックを送信するためのインターフェースが使われることができる。ＵＥ１０は、ｅＮＢ２０とＵｕインターフェースを介して接続される。ｅＮＢ２０は、Ｘ２インターフェースを介して互いに接続される。隣接するｅＮＢは、Ｘ２インターフェースを有するメッシュネットワーク構造を有することができる。複数のノードがｅＮＢ２０とゲートウェイ３０との間のＳ１インターフェースを介して接続されることができる。
【００３０】
図２は、半波長ダイポール（half-wave dipole）アンテナの放射パターンを示す。
【００３１】
半波長ダイポールは、ケーブルの接続のために中央が切断された部分に電線を接続したアンテナであって、半波長で構成された簡単なアンテナを意味する。方向性アンテナは、一つの方向でのみ利得を有し、残りの方向では損失を有するようにデザインされる。アンテナは、その大きさの増加に応じて方向性が形成される。アンテナから放射された波は、方向性を有して遠い距離を移動するようになって、建設的干渉（constructive interference）でも非建設的干渉（unconstructive interference）でも、方向性放射パターンが与えられると、より容易に制御されることができる。
【００３２】
図３は、人工衛星受信アンテナなどの円形開口アンテナの放射パターンを示す。
【００３３】
極端に単純化すると、人工衛星受信アンテナは、全ての部分で同じ電磁波が放射される円形面（circular surface）と見なされる。図３を参照すると、高い利得を有する幅の狭いビームが放射パターンの中央に位置している。波長によるアンテナの直径が増加するほど中央ビームの幅はますます狭くなる。中央ビームの両サイドにはサイドローブ（side lobe）と呼ばれる小さいビームがあらわれる。信号強度が０である信号の方向は“ｎｕｌｌｓ”で表現されることができる。単純な方向性アンテナは、小さい放射アンテナ素子（antenna elements）のリニアアレイ（線形配列）（linear array）で構成され、一つの送信端から同じ振幅および位相を有する同じ信号が各アンテナ素子に提供される。アレイの幅全体が増加するほど中央ビームは狭くなり、アンテナ素子の数が増加するほどサイドローブは小さくなる。
【００３４】
図４は、リニアアレイアンテナ（linear array antenna）の放射パターンを示す。
【００３５】
図４は、λ／２ほど離隔した４個の小さいアンテナ素子（要素）（antenna elements）に関する放射パターンを示す。一方、前述したリニアアレイの放射パターンは、単一アンテナの放射パターンと、各アンテナ信号の建設的（補強）干渉（constructive interference）および相殺的干渉（destructive interference）の影響を示すアレイファクタ（Array Factor、ＡＦ）と、を掛けたもので表すことができる。即ち、アレイファクタは、ビーム幅による最大アンテナ利得の変化を示す。
【００３６】
図５は、リニアアレイアンテナの放射パターンを求める処理を示す。
【００３７】
図５を参照すると、単一アンテナ素子（要素）（single element）の放射パターン（Ｅr（ω））にアレイファクタを掛けると、放射角によるアンテナ利得を得ることができる。アレイファクタは、アンテナアレイを構成するアンテナの数、アンテナ間の距離（間隔）（distance）、各アンテナに掛けられる加重値（weight）によって変わることができる。このようなアレイファクタは、以下の数式１のように表現されることができる。
【００３８】
【数１】
0006363226.tif 000002
【００３９】
数式１において、ＮTはアンテナ数、ｗnは各アンテナの加重値、ｄはアンテナ間の距離、ｋ＝２π／λは波数（wave number）、θはアンテナアレイの指向点（基準点）（directing point）からの角度、φは位相オフセット（phase offset）を示す。
【００４０】
即ち、アンテナアレイが指向するビームの方向（θ）が０であり、アンテナが等間隔に配置されている場合、アレイファクタ値は、指向する方向を基準にして左右対称に表れる。もし、アンテナが指向する照準（boresight）を基準にしてｘ度ほど回転した方向に基地局が信号を送信する場合、ビームの指向点のアンテナ利得は、Ｅr（ｘ）ＡＦ（０）で表現されることができる。また、ビームの指向点を基準にしてｙ度ほど回転した地点（point rotated through y degrees based on the directing point of the beam）のビーム利得は、Ｅr（ｘ＋ｙ）ＡＦ（ｙ）で表現されることができる。
【００４１】
ＡＦに適用されるθによって、ＡＦのウィンドウ（vision region）（可視領域）は移動（シフト）（shift）することができ、ウィンドウとこれに対応するアンテナ放射パターンとの積により最終的なアンテナ利得が得られる。
【００４２】
図６は、２次元に配列されたアンテナアレイを示す。
【００４３】
図６を参照すると、アンテナは、横方向および縦方向に一定の間隔で配列されることができる。θは、方位（アジマス）角（azimuth angle）を示し、φは鉛直角または垂直角（vertical angle）を示す。ｄｘおよびｄｙは、アンテナ素子間の横および縦の間隔を示す。図６のようにアンテナが配列された場合、ＡＦは、以下の数式２のように表現されることができる。
【００４４】
【数２】
0006363226.tif 000003
【００４５】
数式２において、ＡＦHおよびＡＦVは、数式３および数式４で各々表現されることができる。
【００４６】
【数３】
0006363226.tif 000004
【００４７】
【数４】
0006363226.tif 000005
【００４８】
同様に、単一アンテナの放射パターンもθおよびφを変数にしてＥr（θ、φ）で表現できる。一方、基地局間の協調通信（Coordinated Multipoint；ＣｏＭＰ）などのシステムでは、基地局間で干渉情報を交換し、このような情報に基づいて端末スケジューリングを実行することができる。
【００４９】
以下、ＳＯＮ（Self-Organizing Network）に関して説明する。
【００５０】
ＳＯＮは、小型（small）セル基地局がマクロ基地局に比べて相対的により多く配置されることで、小型セルを自動的に初期化して管理する重要な技術のうちの一つである。ＳＯＮ技術は、基地局の初期設置および運用（駆動）（operation）のときに、基地局に関する構成情報を自動的に設定する自動（自己）設定（Self-Configuration）と、運用ステップである隣接セル管理の最適化およびカバレッジパラメータ（Coverage Parameter）の設定のための自動（自己）最適化（Self-Optimization）と、運用中のエラー検知および修復のための自動（自己）回復（ヒーリング）（Self-Healing）ステップと、に分けて動作する。
【００５１】
Ｓｅｌｆ−Ｃｏｎｆｉｇｕｒａｔｉｏｎ機能は、基地局を新規または追加設置するとき、基地局の初期動作に必要なパラメータを自律的（自体的）（autonomously）に収集分析して、基地局の初期ブートアップ処理および運用の前のステップで、隣接基地局の識別、関係設定／登録およびコアネットワーク（core network）との接続設定などの手順を自動化する機能である。
【００５２】
Ｓｅｌｆ−Ｏｐｔｉｍｉｚａｔｉｏｎ機能は、基地局の運用中、隣接基地局間の信号およびトラフィックタイプ（類型）（type）情報を活用して基地局間干渉を最小化するＩＣＩＣ（Inter-Cell Interference Coordination）機能、カバレッジホールの探知並びに最適容量およびカバレッジのためのＣＣＯ（Coverage and Capacity Optimization）機能、ＲＡＣＨ（Random Access CHannel）の最適使用のためのＲＯ（RACH Optimization）機能、隣接基地局間の負荷の均等調節のためのＭＬＢ（Mobile Load Balancing）機能、ハンドオーバ時のＲＬＦ（Radio Link Failure）を最小化するためのハンドオーバパラメータを最適化するモビリティロバストネス最適化（Mobility Robustness Optimization；ＭＲＯ）機能、不要な基地局運用時間を最小化して節電する機能であるＥＳ（Energy Saving）機能などを含む。
【００５３】
Ｓｅｌｆ−Ｈｅａｌｉｎｇ機能は、ネットワーク運用中に発生する構成要素の障害を把握して、自動復旧が可能な要素を復旧することによって、エラーを解決し、またはエラーによるシステムへの影響を最小化する機能である。Ｓｅｌｆ−Ｈｅａｌｉｎｇ機能は、装備の障害時に発生する警報（alarms）をモニタリングしながら、警報が発生した場合、追加の関連情報を測定または検査を介して収集した後、自動的な復旧が可能な場合には該当の（対応する）（corresponding）復旧動作を実行する。復旧動作と関連してソフトウェアの障害の場合には、システム初期化、バックアップソフトウェア再設置、障害復旧ソフトウェアの開始、新しいソフトウェアユニットのダウンロード、再構成などが行われることができる。ハードウェアの障害があるとき、余裕（スペア）の（extra）バックアップハードウェアがある場合はこれを動作させる方法、余裕の分がない場合は性能や機能を縮小して動作するように運用する方法などを考えることができる。
【００５４】
以下、Ｓｅｌｆ−Ｏｐｔｉｍｉｚａｔｉｏｎ機能のうち、ＭＲＯ（Mobility Robustness Optimization）機能に関して説明する。
【００５５】
ＭＲＯは、移動性のためのセル設定で発生するハンドオーバの失敗を減らすために、端末の無線接続失敗報告および接続再設定情報に基づいて自動的に該当ハンドオーバ設定値を最適化するためのＳＯＮ動作である。即ち、ＭＲＯは、ＡｃｔｉｖｅモードハンドオーバおよびＩｄｌｅモードセル再選択に影響を与えるパラメータを自動的に最適化してユーザ体感品質および性能を上げることに目的がある。ＭＲＯは、一般的に固定されたセル領域を仮定しているが、最小限頻繁に変わらない設定を仮定しなければならない。しかし、ＡＡＳ（Active Antenna System）を介して動的に領域が変わる場合、十分な時間を通じて最適化を達成できなければならない。
【００５６】
移動通信事業者が実行する典型的なハンドオーバパラメータ最適化方法は、走行テストを介して関連したシステムログを収集して後処理する方式である。誤ったハンドオーバパラメータ設定により引き起されるハンドオーバピンポン（HO ping-pong）（ピンポンハンドオーバ（ping-pong HO））、ハンドオーバ失敗、ＲＬＦなどの現象は、ユーザの体感品質を落としてネットワークリソースの浪費を誘発する。したがって、ＭＲＯの主な目標は、ハンドオーバと関連した無線リンクの失敗回数を減少させることである。
【００５７】
また、ＲＬＦを誘発しないとしても、完全に最適化されないハンドオーバパラメータ設定は、サービス性能の低下を引き起こす。例えば、正しくないＨＯ  ｈｙｓｔｅｒｅｓｉｓ設定は、ハンドオーバピンポン現象またはターゲットセルへの過度な遅滞時間の原因となる。したがって、ＭＲＯアルゴリズムの第二の目標は、不要または誤ったハンドオーバの決定によるネットワークリソースの非効率的な使用を減少させることにある。
【００５８】
図７乃至図９は、アンテナティルト（antenna tilting）を示す。
【００５９】
図７は、アンテナティルトを実行しないことを示し、図８は、機械的ティルト（mechanical tilting）を実行することを示し、図９は、電気的ティルト（electrical tilting）を実行することを示す。
【００６０】
従来（既存）の（conventional）セルラシステムにおいて、基地局は、機械的ティルトまたは電気的ティルトに基づいてセル間干渉を減らし、セル内の端末のＳＩＮＲ（Signal to Interference-Plus-Noise Ratio）を向上させる方法を使用してきた。しかし、図８の機械的ティルトの場合、初期設置時、ビームの方向が固定されるという短所があり、基地局を設置する建物の高さ、支持台の高さに応じて、機械的ティルト角（mechanical tilting angle）が決定されるため、放射ビーム幅（radiation beam width）を広く形成しなければならない。図９の電気的ティルト（electrical tilting）の場合、内部位相シフト（phase shift）モジュールを利用してティルト角（tilting angle）を変更することができるが、事実上、セル固定的ティルトにより非常に制約的な垂直ビーム形成（vertical beamforming）のみが可能であるという短所がある。アクティブアンテナシステム（ＡＡＳ；Active Antenna System）を使用する場合、従来のティルトに比べて自由な垂直ビーム形成および／または水平ビーム形成を具現することができる。
【００６１】
図１０乃至図１１は、従来の電気的ティルトを考慮した場合、基地局で生成されるビームのパターンを示す。
【００６２】
図１０は、一般的な水平ビームパターン（horizontal beam pattern）を示し、図１１は、電気的ティルト角を１５゜と仮定した場合の垂直ビームパターン（vertical beam pattern）を示す。
【００６３】
３ＧＰＰで考慮したり一般的に知られているアンテナのビーム特性は、次のような値を有することができる。垂直ビーム幅（vertical beam width）は、ＨＰＢＷ（Half Power Beam Width）を基準にして１０゜乃至１５゜を有することができ、水平ビーム幅は、ＨＰＢＷを基準にして６５゜乃至７０゜を有することができる。ここで、ＨＰＢＷ（Half Power Beam Width）は、３ｄＢ利得減衰を考慮したビームを意味する。ＨＰＢＷは、半値角（order angle）として指向性の程度を示す物理量でメインローブの鋭さの程度（尖鋭度）を示すことができる。ＨＰＢＷが小さいほどビームが鋭利な指向性を有することを意味する。アクティブアンテナを使用すると、電気的ティルトを使用して基地局で生成されるビームのパターンより広いビーム幅を有することができる。
【００６４】
図１２は、アクティブアンテナシステム（Active Antenna System）を示す。
【００６５】
図１２を参照すると、アクティブアンテナシステムは、従来の受動アンテナシステムと違って、受動素子であるアンテナの各々にＲＦ（Radio Frequency）モジュール１２００が結合される形態で具現されたアンテナシステムである。アクティブアンテナシステムは、アンテナの各々にＲＦモジュール１２００、即ち、アクティブ素子を含んでいるため、アンテナモジュールの各々に対する電力および位相を調節することができる。アクティブアンテナシステムは、アンテナ性能と関連した事項（小型アンテナの有効な長さの増加、帯域幅の増加、配列素子間の相互カップリングの減少および雑音成分の改善、送信電力の効率増大等）を改善させるだけでなく、ＭＩＣ（Microwave Integrated Circuit）およびＭＭＩＣ（Monolithic Microwave Integrated Circuit）技術と関連して高集積化が可能であり、特に、ミリ波帯域通信システムに応用する場合、送信線による高い損失、制限されたソース電力、アンテナ効率の減少および優れた性能の位相変位器の欠如などによる短所を克服することができる。各アンテナ別にＲＦモジュール１２００が結合されている形態であるため、アンテナをポート別に制御することが可能でアンテナを通信環境および状況に合うように位相および出力を調節することができる特徴がある。
【００６６】
図１３は、アクティブアンテナに基づいて端末固有ビームを送信する方法を示す。
【００６７】
図１３を参照すると、アクティブアンテナを使用する場合、特定のターゲットに対して該当方向にビームの方向を調節し、該当ターゲットの位置に基づいて電力を調節してターゲットにビーム形成を実行することができる。
【００６８】
図１４は、２次元アクティブアンテナに基づいて端末固有ビームを送信する方法を示す。
【００６９】
アクティブアンテナベースの２次元アンテナアレイを利用した送信環境では、外部基地局で室内端末に対して送信する環境（Ｏ２Ｉ、Outdoor to Indoor）および室外の小さいセル環境（Urban Micro）を主に考慮している。図１４を参照すると、アクティブアンテナベースの２次元アンテナアレイを使用してビームを送信する場合、基地局が端末固有の水平ビーム操向（horizontal beam steering）だけでなく、建物の高さによる多様な端末の高さを考慮した垂直ビーム操向（vertical beam steering）まで可能で、セル内の多様な多数の建物が存在する実際のセル環境で使用することができる。セル内に多様な高さを有する多数の建物が存在する場合、従来の無線チャネル環境とは相当異なるチャネル特性などを考慮することができる。例えば、高さの差による陰影／経路損失の変化、ＬｏＳ（Line of Sight）／ＮＬｏＳ（Non-Line of Sight）、ＤｏＡ（Direction of Arrival）などを含むフェージング特性の変化などを考慮してビームを操向することができる。
【００７０】
ＡＡＳ技術には、主に、ビーム形成（beam forming）、セル成形（シェイピング）（形状化）（cell shaping）およびセル分割（cell splitting）技術がある。
【００７１】
ビーム形成は、セル領域に変化がなく、早い時間内にビームを変更しながら、セル内のＲＲＭを実行する。したがって、全セル領域は同じＰＣＩとして使われ、ビーム制御は基地局で自律的に具現される。現在ＳＯＮ（Self-Organizing Network）形状に対する追加的な改善は必要でないと考慮される。
【００７２】
図１５は、セル形状の変更時、隣接セルに対する影響を示す。
【００７３】
セル成形（cell shaping）技術の場合、ＡＡＳを利用して１時間またはさらに長い時間にわたってセル領域を変更する。全セル領域は、同じＰＣＩを使用し、関連（該当）の（relevant）セル変更は、ＯＡＭ（Operations、Administration and Maintenance）により制御され、セル変更の程度（幅）（degree）によってＭＲＯ問題が発生できる。
【００７４】
図１６は、ユーザトラフィックによる垂直セル分割を示す。
【００７５】
セル分割の場合、セルセクタ分割を水平にまたは垂直に行うことができ、時間帯別に動的に行うことができ、短い場合は１時間から長い場合は数日にわたって数回（several times）程度実行することができる。セル分割は、ＯＡＭにより設定され、既存の（existing）ＳＯＮ動作と関連してＭＲＯに影響がある。垂直セル分割処理を示す図１６を参照すると、セル内に端末が等しく分布されている場合、該当セルを２個のセクタに分けて使用することでセル容量を増大させることができる。セル分割関連シナリオでは、基地局でないＯＡＭにより事前に指定された領域に対してネットワーク負荷やユーザサービス要求によって分割が発生する。ＲＡＮは、ＯＡＭ動作の最適化のためにＭＤＴ測定データまたは統計データを送ることができる。セルは、分割およびマージ（併合）（merged）を繰り返すことができ、その程度はネットワーク状況に従う。セル分割時、同じ周波数または各々異なる周波数を使用するシナリオを全て考慮する。
【００７６】
図１７は、効率的なセル分割を説明するためのセル分割の二つのパターンを示す。
【００７７】
図１７を参照すると、セル１は、セル２およびセル３のように二つのセルに分割され、トラフィックの空間分布は、図１７（ａ）および図１７（ｂ）で同じであると仮定した。図１７（ｂ）が現在のトラフィックを分散させるという点で図１７（ａ）に比べて有用である。図１７（ｂ）の場合、セル２とセル３とがトラフィックを分け合う（share）が、図１７（ａ）の場合、セル２はほぼ使われずに、セル３がセル分割前のセル１の大部分の負荷（load）がかかるためである。即ち、もし、セル１がセル分割の多様なパターンを支援する場合、トラフィック分布によって、セル１は、セル分割に適したパターンを選択することができる。セル分割の各パターンは、セル分割のためのパラメータセットであって、ＯＡＭによりあらかじめ定義されることができる。図１７のように、セル１が分割されると、隣接セルに他のセル分割パターンを示す（指示する）（indicate）ために、分割された各セルのＥＣＧＩ（E-UTRAN Cell Global Identifier）が使われることができる。即ち、各々の分割されたセルのＥＣＧＩがＸ２プロシージャ（procedure）を利用して隣接セルに送信されることができる（例えば、ｅＮＢ  Ｃｏｎｆｉｇｕｒａｔｉｏｎ  Ｕｐｄａｔｅ  ｐｒｏｃｅｄｕｒｅ）。しかし、この方法は、下記のような場合に問題を引き起こすことができる。以下、図１８乃至図１９を参照して説明する。
【００７８】
図１８は、上記（既存）の（foregoing）方法を適用する場合、基地局が隣接基地局のセルが分割されるか否かを認知することができない場合の一実施例を示す。
【００７９】
図１８を参照すると、図１８（ａ）のセル１が図１８（ｂ）のように分割される場合、セル４の立場で、セル２がそれ以上隣接セルでないため、セル４は、セル３のＥＣＧＩのみを受信することができる。セル１が二つのセルに分割されたが、セル４は、一つのＥＣＧＩのみを受信するため、セル４は、受信したＥＣＧＩがセル分割を示すかどうかを区別することができない。もし、ネットワークによりＥＣＧＩ変更（修正）（modification）を認識する場合、たとえ、セル分割が発生したとしても、セル分割に対してあらかじめ定義されたＭＲＯパラメータセットが適用されない。
【００８０】
図１９は、上記（既存）の方法を適用する場合、基地局が隣接基地局のセルの分割形態（shape）を認知することができない場合の一実施例を示す。
【００８１】
図１９（ａ）を参照すると、セル分割が実行される場合、セル４は、隣接セルであるセル２およびセル３のＥＣＧＩを受信することができる。図１９（ｂ）を参照すると、上記と同様に、セル４は、隣接セルであるセル２およびセル３のＥＣＧＩを受信することができる。上記二つの例を介して、同じセル分割数を有する場合には、セル分割パターンを区別することができないため、あらかじめ定義された同じＭＲＯパラメータセットが適用されることができる。即ち、上記例において、図１９（ａ）および（ｂ）は、セル分割パターンが異なるにもかかわらず、同じＭＲＯパラメータセットが適用されることができる。本発明は、上記のような問題を解決する方法を提案する。
【００８２】
図２０は、本発明の一実施例によって隣接基地局にＸ２インターフェースを利用してセル分割パターンを示す方法を示す。
【００８３】
セル分割を実行する基地局が、基地局とＸ２接続を有する隣接基地局にセル分割パターンを示す方法を提案する。セル分割パターンとは、セル分割が実行されたとき、分割可能なセルの形状を示すセット、モードまたはケースのうちのいずれか一つとして定義されることができる。
【００８４】
図２０を参照すると、第１の基地局は、第１の基地局の現在の状態（例えば、セル負荷およびトラフィックの空間分布）に基づいてセル分割を実行することができる（Ｓ２０１０）。第１の基地局は、Ｃｅｌｌ  Ｓｐｌｉｔｔｉｎｇ  Ｐａｔｔｅｒｎ  Ｉｎｄｉｃａｔｉｏｎ  Ｍｅｓｓａｇｅ（セル分割パターン指示メッセージ）（または、ｅＮＢ  Ｃｏｎｆｉｇｕｒａｔｉｏｎ  Ｕｐｄａｔｅ  Ｍｅｓｓａｇｅ（基地局設定アップデートメッセージ）、レガシ（既存）（legacy）メッセージ、または新規／レガシ（既存）メッセージに含まれている新しいＩＥ（Information Element））を利用して第２の基地局にセル分割パターンを提供することができる（Ｓ２０２０）。上記Ｃｅｌｌ  Ｓｐｌｉｔｔｉｎｇ  Ｐａｔｔｅｒｎ  Ｉｎｄｉｃａｔｉｏｎ  Ｍｅｓｓａｇｅ（または、ｅＮＢ  Ｃｏｎｆｉｇｕｒａｔｉｏｎ  Ｕｐｄａｔｅ  Ｍｅｓｓａｇｅ、レガシメッセージ、または新規／レガシメッセージに含まれている新しいＩＥ）には、カバレッジ情報またはインデックス情報のうち少なくとも一つが含まれることができる。カバレッジ情報（Coverage Information）は、現在分割されたセルの形状を示すことができる情報を意味し、インデックス情報（Index Information）は、ＯＡＭによりまたは隣接基地局間であらかじめ構成されてインデクシングされた現在セル分割パターンを示す情報を意味する。
【００８５】
本発明の上記Ｃｅｌｌ  Ｓｐｌｉｔｔｉｎｇ  Ｐａｔｔｅｒｎ  Ｉｎｄｉｃａｔｉｏｎ  Ｍｅｓｓａｇｅ、ｅＮＢ  Ｃｏｎｆｉｇｕｒａｔｉｏｎ  Ｕｐｄａｔｅ  Ｍｅｓｓａｇｅまたはレガシメッセージに含まれる情報に関して具体的に説明すると、上記メッセージは、以下に記載された表１の情報を含むことができる。
【００８６】
【表１】
0006363226.tif 000006
【００８７】
表１を参照すると、Ｃｅｌｌ  Ｓｐｌｉｔｔｉｎｇ  Ｐａｔｔｅｒｎ  Ｉｎｄｉｃａｔｉｏｎ  Ｍｅｓｓａｇｅ、ｅＮＢ  Ｃｏｎｆｉｇｕｒａｔｉｏｎ  Ｕｐｄａｔｅ  Ｍｅｓｓａｇｅまたはレガシメッセージは、カバレッジが変更されたセルのリストを示すカバレッジ変更リスト（Coverage Modification List）ＩＥを含むことができる。カバレッジ変更リストＩＥは、カバレッジが変更されたセルのＥＣＧＩを含むことができる。また、カバレッジ変更リストＩＥは、前述した上記カバレッジ情報に対応するセルカバレッジ状態ＩＥを含むことができる。即ち、上記セルカバレッジ状態ＩＥは、現在分割されたセルの形状（shape）を示すことができる。上記セルカバレッジ状態ＩＥの値が０（ゼロ）である場合、セルが非活性化される（アクティブでない）ことを示す。例えば、セル分割によって、セル１がセル２とセル３とに分割された場合、上記セル１が非活性化されるため、上記セル１に対する上記セルカバレッジ状態ＩＥの値は０である。それに対し、上記セルカバレッジ状態ＩＥの値が０でない他の値である場合、セルが活性化される（アクティブである）ことを示し、現在カバレッジが変更されたセルのカバレッジ構成（即ち、現在セルの形状）を示す。
【００８８】
第１の基地局からメッセージを受信するとき、第２の基地局は、第１の基地局の情報をアップデート（更新）し（update）、受信したセル分割パターンに対応するＭＲＯパラメータセットを適用することができる（Ｓ２０３０）。各セルの分割パターンに対して、セル分割が活性化される場合に変わるパラメータセットは、事前にＯＡＭにより隣接基地局間であらかじめ定義されたものと仮定することができる。
【００８９】
図２１は、本発明の一実施例によって隣接基地局にセル分割パターンを示す方法を示すブロック図である。
【００９０】
図２１を参照すると、第１の基地局は、セル分割を実行することができる（Ｓ２１１０）。第１の基地局は、第１の基地局の現在分割されたセルの形状を代表するカバレッジ情報を第２の基地局に送信することができる（Ｓ２１２０）。このとき、第１の基地局と第２の基地局との間のＸ２接続を利用することができ、上記カバレッジ情報は、Ｃｅｌｌ  Ｓｐｌｉｔｔｉｎｇ  Ｐａｔｔｅｒｎ  Ｉｎｄｉｃａｔｉｏｎ  Ｍｅｓｓａｇｅ、ｅＮＢ  Ｃｏｎｆｉｇｕｒａｔｉｏｎ  Ｕｐｄａｔｅ  Ｍｅｓｓａｇｅまたはレガシメッセージに含まれて送信されることができる。
【００９１】
図２２は、本発明の実施例が具現される無線通信システムのブロック図である。
【００９２】
基地局２２００は、プロセッサ（processor）２２０１、メモリ（memory）２２０２および送受信器（transceiver）２２０３を含む。メモリ２２０２は、プロセッサ２２０１と接続され、プロセッサ２２０１を駆動するための多様な情報を記憶（格納）する（stores）。送受信器２２０３は、プロセッサ２２０１と接続され、無線信号を送信および／または受信する。プロセッサ２２０１は、提案された機能、処理および／または方法を具現する。前述した実施例において、基地局の動作は、プロセッサ２２０１により具現されることができる。
【００９３】
端末２２１０は、プロセッサ２２１１、メモリ２２１２および送受信器２２１３を含む。メモリ２２１２は、プロセッサ２２１１と接続され、プロセッサ２２１１を駆動するための多様な情報を記憶する。送受信器２２１３は、プロセッサ２２１１と接続され、無線信号を送信および／または受信する。プロセッサ２２１１は、提案された機能、処理および／または方法を具現する。前述した実施例において、端末の動作は、プロセッサ２２１１により具現されることができる。
【００９４】
プロセッサは、ＡＳＩＣ（Application-Specific Integrated Circuit）、他のチップセット、論理回路および／またはデータ処理装置を含むことができる。メモリは、ＲＯＭ（Read-Only Memory）、ＲＡＭ（Random Access Memory）、フラッシュメモリ、メモリカード、記憶媒体および／または他の記憶装置を含むことができる。送受信器は、無線信号を処理するためのベースバンド回路を含むことができる。実施例がソフトウェアで具現されるとき、前述した技法は、前述した機能を遂行するモジュール（処理、機能など）で具現されることができる。モジュールは、メモリに記憶され、プロセッサにより実行されることができる。メモリは、プロセッサの内部または外部にあり、よく知られた多様な手段でプロセッサと接続されることができる。
【００９５】
前述した一例に基づいて、本明細書による多様な技法が図面と図面符号を介して説明された。説明の便宜のために、各技法は、特定の順序によって多数のステップやブロックを説明したが、このようなステップやブロックの具体的順序は、請求項に記載された発明を制限するものではなく、各ステップやブロックは、異なる順序で具現され、または異なるステップやブロックと同時に実行されることが可能である。また、通常の技術者であれば、各ステップやブロックが限定的に記述されたものではなく、発明の保護範囲に影響を与えない範囲内で少なくとも一つの他のステップが追加されたり削除されたりすることが可能であるということを知ることができる。
【００９６】
前述した実施例は、多様な一例を含む。通常の技術者であれば、発明の全ての可能な一例の組み合わせが説明されることができないという点を知ることができ、また、本明細書の技術から多様な組み合わせが派生することができるという点を知ることができる。したがって、発明の保護範囲は、請求の範囲に記載された範囲を外れない範囲内で、詳細な説明に記載された多様な一例を組み合わせて判断しなければならない。
【図１】
0006363226.tif 000007
【図２】
0006363226.tif 000008
【図３】
0006363226.tif 000009
【図４】
0006363226.tif 000010
【図５】
0006363226.tif 000011
【図６】
0006363226.tif 000012
【図７】
0006363226.tif 000013
【図８】
0006363226.tif 000014
【図９】
0006363226.tif 000015
【図１０】
0006363226.tif 000016
【図１１】
0006363226.tif 000017
【図１２】
0006363226.tif 000018
【図１３】
0006363226.tif 000019
【図１４】
0006363226.tif 000020
【図１５】
0006363226.tif 000021
【図１６】
0006363226.tif 000022
【図１７】
0006363226.tif 000023
【図１８】
0006363226.tif 000024
【図１９】
0006363226.tif 000025
【図２０】
0006363226.tif 000026
【図２１】
0006363226.tif 000027
【図２２】
0006363226.tif 000028